(57)【要約】【課題】  文字放送や音声放送を受信するために放送局の自動設定中に利用者に誤解を与えることのない、使い勝手のよいリモコン装置を提供する。【解決手段】  給湯装置の回路に信号接続されて該給湯装置の遠隔操作を行なうリモコン装置１において、受信電波周波数を可変調整して該調整により受信可能となった放送の電波周波数と放送局とを対応させて記憶する自動記憶動作を１回以上行い、該自動記憶動作を１回行うごとに記憶した放送局を１つのチャンネルとして設定するチャンネル自動設定モードの動作を行う。この動作中に、表示画面３２に、チャンネル設定値の上限値の升目６０を表示し、自動記憶動作ごとに１つずつ升目６０を点滅させる。チャンネル設定が終了するごとに升目６０に着色して点灯させる。【選択図】        図２
2006183965.tif 000002
【特許請求の範囲】
【請求項１】
音声放送と文字放送の少なくとも一方を有する放送の電波を受信電波周波数の調整によって受信可能な機能を備え、給湯装置の回路に信号接続されて該給湯装置の遠隔操作を行なうリモコン装置において、受信電波周波数を可変調整して該調整により受信可能となった放送の電波周波数を順次記憶する自動記憶動作を１回以上行い、該自動記憶動作を１回行うごとに記憶した放送の電波周波数を１つのチャンネルとして設定するチャンネル自動設定モードの動作部を有し、該チャンネル自動設定モードの動作中に該動作中であることを知らせる点滅表示をリモコン装置の表示部の少なくとも一部位に行う表示制御部を有することを特徴とするリモコン装置。
【請求項２】
音声放送と文字放送の少なくとも一方を有する放送の電波を受信電波周波数の調整によって受信可能な機能を備え、給湯装置の回路に信号接続されて該給湯装置の遠隔操作を行なうリモコン装置において、受信電波周波数を可変調整して該調整により受信可能となった放送の電波周波数と放送局とを対応させて記憶する自動記憶動作を１回以上行い、該自動記憶動作を１回行うごとに記憶した放送局を１つのチャンネルとして設定するチャンネル自動設定モードの動作部を有し、該チャンネル自動設定モードの動作中に該動作中であることを知らせる点滅表示をリモコン装置の表示部の少なくとも一部位に行う表示制御部を有することを特徴とするリモコン装置。
【請求項３】
チャンネル自動設定モードの動作部には、チャンネル設定数の上限値が予め与えられており、前記チャンネル自動設定モードの動作部は前記チャンネル設定数の上限値のチャンネル設定が終了したときに動作を自動的に終了することを特徴とする請求項１または請求項２記載のリモコン装置。
【請求項４】
表示制御部は、チャンネル自動設定モードの動作部により設定したチャンネル数が分かる表示を表示部の少なくとも一部位に点灯または点滅により行うことを特徴とする請求項１または請求項２または請求項３記載のリモコン装置。
【請求項５】
表示制御部は、チャンネル自動設定モードの動作部の動作開始時にチャンネル設定数の上限値に対応する数の絵柄を点灯表示し、前記チャンネル自動設定モードの動作部が１回目の自動記憶動作を行っている間は１つ目の絵柄を点滅表示させ、前記１回目の自動記憶動作により１つ目のチャンネルが設定されたら前記１つ目の絵柄に印を付けて点灯表示し、その後、前記チャンネル自動設定モードの動作部が２回目の自動記憶動作を行う間は２つ目の絵柄を点滅表示させ、前記２回目の自動記憶動作により２つ目のチャンネルが設定されたら前記２つ目の絵柄に印を付けて点灯表示するという如く、前記チャンネル自動設定モードの動作部が設定したチャンネル数を印付けした絵柄の数により逐次表示することを特徴とする請求項３または請求項４記載のリモコン装置。
【請求項６】
絵柄の印付けは絵柄内を着色したことを特徴とする請求項５記載のリモコン装置。
【請求項７】
表示制御部は、チャンネル自動設定モードの動作部の動作中であることを知らせる文字の点滅表示を行うことを特徴とする請求項１乃至請求項６のいずれか一つに記載のリモコン装置。
【請求項８】
チャンネル自動設定モードの動作部の動作が終了したとき又は終了してから予め定めた時間が経過したときに、チャンネル自動設定モードの動作部の動作中であることを知らせる表示を消去する表示消去部が設けられていることを特徴とする請求項１乃至請求項７のいずれか一つに記載のリモコン装置。
【請求項９】
表示制御部は、表示消去部によりチャンネル自動設定モードの動作部の動作中であることを知らせる表示の消去が行われたときには、前記チャンネル自動設定モードの動作部の動作開始の直前の表示内容を表示部に表示することを特徴とする請求項８記載のリモコン装置。
【請求項１０】
チャンネル自動設定モードの動作部の動作開始時を起点として経過時間を計測する時計機構を有し、該時計機構で計測される経過時間が予め設定した設定時間に達したときには、チャンネル自動設定モードの動作部の動作を終了させることを特徴とする請求項１乃至請求項９のいずれか一つに記載のリモコン装置。
【発明の詳細な説明】
【技術分野】
【０００１】
本発明は例えば浴槽への自動湯張り機能を備えた給湯装置等、給湯装置に信号接続されて、給湯装置を遠隔操作するリモコン装置に関するものである。
【背景技術】
【０００２】
給湯装置を遠隔操作するリモコン装置が浴室や、台所に設置され、このリモコン装置の表示画面に給湯や湯張りの設定温度、浴槽水位等の給湯関連情報を表示することは一般に行なわれているが、最近においては、特許文献１〜３等に示されるように、これらの給湯関連情報以外に、ＦＭ文字多重放送等の文字情報を表示画面に表示することが提案されている。このように、リモコン装置の表示画面に文字情報を表示するようにすることにより、ＦＭ文字多重放送等（以下、文字放送という）専用の受信表示画面をリモコン装置とは別個に用意することなく、浴室や台所で、文字放送を楽しむことができることとなる。
【０００３】
上記文字放送やラジオ等の音声放送は、その放送局によって送信する電波の周波数が予め設定されている。放送を受ける装置側では、受信電波周波数を各放送局から送信される電波周波数に合わせる（一致させる）調整を行って放送を受信できるようにする。最近では、上記受信電波周波数の調整を自動的に行うチャンネル自動設定機能を備えた装置が開発されており、上記文字放送の表示機能を備えたリモコン装置にも、チャンネル自動設定機能を備えた装置が用いられるようになった。
【０００４】
【特許文献１】特開２００１−１５７２７４号公報
【特許文献２】特開２００２−１３５８６３号公報
【特許文献３】特開平１０−２２９５８５号公報
【発明の開示】
【発明が解決しようとする課題】
【０００５】
しかしながら、上記チャンネル自動設定機能を備えたリモコン装置において、チャンネル自動設定動作中は、その動作中であることを知らせる表示が点灯により行われており、例えば１０分程度かかるチャンネル自動設定動作中に上記表示を点灯し続けると、利用者は、リモコン装置内部のマイコン（マイクロ・コンピューター）の動きが止まってしまったのではないかと勘違いしてしまったり、いつ終了するか分からないという問題があり、リモコン装置の故障であると誤解してしまったり、いらいらしてしまったりすることがあった。
【０００６】
本発明は、上記課題を解決するためになされたものであり、その目的は、給湯装置を遠隔操作するリモコン装置において、文字放送や音声放送を受信するための放送局の自動設定中に利用者に誤解を与えたり、いらいらさせたりすることのない、使い勝手のよいリモコン装置を提供することにある。
【課題を解決するための手段】
【０００７】
本発明は上記目的を達成するために、次の構成をもって課題を解決する手段としている。すなわち、第１の発明は、音声放送と文字放送の少なくとも一方を有する放送の電波を受信電波周波数の調整によって受信可能な機能を備え、給湯装置の回路に信号接続されて該給湯装置の遠隔操作を行なうリモコン装置において、受信電波周波数を可変調整して該調整により受信可能となった放送の電波周波数を順次記憶する自動記憶動作を１回以上行い、該自動記憶動作を１回行うごとに記憶した放送の電波周波数を１つのチャンネルとして設定するチャンネル自動設定モードの動作部を有し、該チャンネル自動設定モードの動作中に該動作中であることを知らせる点滅表示をリモコン装置の表示部の少なくとも一部位に行う表示制御部を有する構成をもって課題を解決する手段としている。
【０００８】
また、第２の発明は、音声放送と文字放送の少なくとも一方を有する放送の電波を受信電波周波数の調整によって受信可能な機能を備え、給湯装置の回路に信号接続されて該給湯装置の遠隔操作を行なうリモコン装置において、受信電波周波数を可変調整して該調整により受信可能となった放送の電波周波数と放送局とを対応させて記憶する自動記憶動作を１回以上行い、該自動記憶動作を１回行うごとに記憶した放送局を１つのチャンネルとして設定するチャンネル自動設定モードの動作部を有し、該チャンネル自動設定モードの動作中に該動作中であることを知らせる点滅表示をリモコン装置の表示部の少なくとも一部位に行う表示制御部を有する構成をもって課題を解決する手段としている。
【０００９】
また、第３の発明は、上記第１または第２の発明の構成に加え、前記チャンネル自動設定モードの動作部には、チャンネル設定数の上限値が予め与えられており、前記チャンネル自動設定モードの動作部は前記チャンネル設定数の上限値のチャンネル設定が終了したときに動作を自動的に終了する構成をもって課題を解決する手段としている。
【００１０】
さらに、第４の発明は、上記第１または第２または第３の発明の構成に加え、前記表示制御部は、チャンネル自動設定モードの動作部により設定したチャンネル数が分かる表示を表示部の少なくとも一部位に点灯または点滅により行う構成をもって課題を解決する手段としている。
【００１１】
さらに、第５の発明は、上記第３または第４の発明の構成に加え、前記表示制御部は、チャンネル自動設定モードの動作部の動作開始時にチャンネル設定数の上限値に対応する数の絵柄を点灯表示し、前記チャンネル自動設定モードの動作部が１回目の自動記憶動作を行っている間は１つ目の絵柄を点滅表示させ、前記１回目の自動記憶動作により１つ目のチャンネルが設定されたら前記１つ目の絵柄に印を付けて点灯表示し、その後、前記チャンネル自動設定モードの動作部が２回目の自動記憶動作を行う間は２つ目の絵柄を点滅表示させ、前記２回目の自動記憶動作により２つ目のチャンネルが設定されたら前記２つ目の絵柄に印を付けて点灯表示するという如く、前記チャンネル自動設定モードの動作部が設定したチャンネル数を印付けした絵柄の数により逐次表示する構成をもって課題を解決する手段としている。
【００１２】
さらに、第６の発明は、上記第５の発明の構成に加え、前記絵柄の印付けは絵柄内を着色した構成をもって課題を解決する手段としている。
【００１３】
さらに、第７の発明は、上記第１乃至第６のいずれか一つの発明の構成に加え、前記表示制御部は、チャンネル自動設定モードの動作部の動作中であることを知らせる文字の点滅表示を行う構成をもって課題を解決する手段としている。
【００１４】
さらに、第７の発明は、上記第１乃至第６のいずれか一つの発明の構成に加え、前記チャンネル自動設定モードの動作部の動作が終了したとき又は終了してから予め定めた時間が経過したときに、チャンネル自動設定モードの動作部の動作中であることを知らせる表示を消去する表示消去部が設けられている構成をもって課題を解決する手段としている。
【００１５】
さらに、第８の発明は、上記第７発明の構成に加え、前記表示制御部は、表示消去部によりチャンネル自動設定モードの動作部の動作中であることを知らせる表示の消去が行われたときには、前記チャンネル自動設定モードの動作部の動作開始の直前の表示内容を表示部に表示する構成をもって課題を解決する手段としている。
【００１６】
さらに、第１０の発明は、上記第１乃至第９のいずれか一つの発明の構成に加え、前記チャンネル自動設定モードの動作部の動作開始時を起点として経過時間を計測する時計機構を有し、該時計機構で計測される経過時間が予め設定した設定時間に達したときには、チャンネル自動設定モードの動作部の動作を終了させる構成をもって課題を解決する手段としている。
【発明の効果】
【００１７】
本発明によれば、チャンネル自動設定モードの動作部を有しており、このチャンネル自動設定モードの動作部によって、受信可能な放送を、その電波周波数ごとに、またはその電波周波数と放送局とを対応させて、１つのチャンネルとして自動的に設定できる。
【００１８】
つまり、本発明において、チャンネル自動設定モードの動作部が、受信電波周波数を可変調整して該調整により受信可能となった放送の電波周波数を順次記憶する自動記憶動作を１回以上行い、該自動記憶動作を１回行うごとに記憶した放送の電波周波数を１つのチャンネルとして設定する構成においては、受信可能な放送を、その電波周波数ごとに１つのチャンネルとして自動的に設定できる。
【００１９】
また、チャンネル自動設定モードの動作部が、受信電波周波数を可変調整して該調整により受信可能となった放送の電波周波数と放送局とを対応させて記憶する自動記憶動作を１回以上行い、該自動記憶動作を１回行うごとに記憶した放送局を１つのチャンネルとして設定する構成においては、受信可能な放送を、その電波周波数と放送局とを対応させて、１つのチャンネルとして自動的に設定できる。
【００２０】
そして、本発明は、前記チャンネル自動設定モードの動作中に、該動作中であることを知らせる点滅表示を、表示制御部がリモコン装置の表示部の少なくとも一部位に行うので、表示を点灯により行う場合と異なり、リモコン装置のマイコンの動きが止まってしまったのではないか、というような利用者の誤解を招くことはなく、リモコン装置がチャンネル自動設定モードの動作を確実に行っている旨を、利用者に的確に知らせることができるので、使い勝手のよいリモコン装置を実現できる。
【００２１】
また、本発明において、チャンネル自動設定モードの動作部には、チャンネル設定数の上限値が予め与えられており、前記チャンネル自動設定モードの動作部は前記チャンネル設定数の上限値のチャンネル設定が終了したときに動作を自動的に終了する構成によれば、受信可能な放送局を放送局ごとに１つのチャンネルとしてチャンネル設定数の上限値に達するまで行い、的確に上記設定動作を終了することができる。
【００２２】
さらに、本発明において、表示制御部は、チャンネル自動設定モードの動作部により設定したチャンネル数が分かる表示を表示部の少なくとも一部位に点灯または点滅により行う構成によれば、利用者が、文字放送や音声放送の放送受信チャンネル設定数を把握できる。
【００２３】
また、この発明において、チャンネル自動設定モードの動作部により設定したチャンネル数が分かる表示を、チャンネル自動設定モードの動作部の動作中に行うことにより、この動作中に設定されるチャンネル数を利用者に逐次知らせることができる。
【００２４】
さらに、表示制御部は、チャンネル自動設定モードの動作部の動作開始時にチャンネル設定数の上限値に対応する数の絵柄を点灯表示し、前記チャンネル自動設定モードの動作部が１回目の自動記憶動作を行っている間は１つ目の絵柄を点滅表示させ、前記１回目の自動記憶動作により１つ目のチャンネルが設定されたら前記１つ目の絵柄に印を付けて点灯表示し、その後、前記チャンネル自動設定モードの動作部が２回目の自動記憶動作を行う間は２つ目の絵柄を点滅表示させ、前記２回目の自動記憶動作により２つ目のチャンネルが設定されたら前記２つ目の絵柄に印を付けて点灯表示するという如く、前記チャンネル自動設定モードの動作部が設定したチャンネル数を印付けした絵柄の数により逐次表示する構成によれば、以下の効果を奏することができる。
【００２５】
つまり、この発明によれば、利用者に、チャンネル自動設定モードの動作部の動作開始時にチャンネル設定数の上限値を知らせることができ、さらに、この内のいくつのチャンネルが設定できたかを逐次知らせることができ、さらに、次のチャンネルの設定のための自動記憶動作の動作中であることを知らせることができる。そして、上記の事項を知らせる表示が絵柄の点灯と点滅と絵柄の印付けによって行われるので、非常に分かりやすく、非常に使い勝手の良いリモコン装置を実現できる。
【００２６】
さらに、上記絵柄を用いた表示を行う本発明において、絵柄の印付けは絵柄内の着色とした構成によれば、利用者は、着色により印付けされている絵柄と着色されていない絵柄とを一目瞭然に区別できるので、より一層分かりやすい表示となり、非常に使い勝手の良いリモコン装置を実現できる。
【００２７】
さらに、本発明において、表示制御部は、チャンネル自動設定モードの動作部の動作中であることを知らせる文字の点滅表示を行う構成によれば、文字の点滅表示によって、チャンネル自動設定モードの動作部の動作中であることを明確に知らせることができ、使い勝手のよいリモコン装置を実現できる。
【００２８】
さらに、本発明において、チャンネル自動設定モードの動作部の動作が終了したとき又は終了してから予め定めた時間が経過したときに、チャンネル自動設定モードの動作部の動作中であることを知らせる表示を消去する表示消去部が設けられている構成によれば、チャンネル自動設定モードの動作が終了したことを利用者に明確に知らせることができる。
【００２９】
さらに、上記表示消去部を設けた本発明において、表示制御部は、表示消去部によりチャンネル自動設定モードの動作部の動作中であることを知らせる表示の消去が行われたときには、前記チャンネル自動設定モードの動作部の動作開始の直前の表示内容を表示部に表示する構成によれば、チャンネル自動設定モードの動作部の動作が終了した後、動作開始の直前の表示内容を表示部に表示することにより、利用者が次のリモコン動作設定等を行いやすく、より使い勝手を良好にできる。
【００３０】
さらに、本発明において、チャンネル自動設定モードの動作部の動作開始時を起点として経過時間を計測する時計機構を有し、該時計機構で計測される経過時間が予め設定した設定時間に達したときには、チャンネル自動設定モードの動作部の動作を終了させる構成によれば、例えばチャンネル自動設定モードの動作部の動作が迅速に行えなかったときでも、設定時間を越えて長い間チャンネル設定モードの動作を行うことを抑制でき、時間の無駄を省くことができる。
【発明を実施するための最良の形態】
【００３１】
以下、本発明の実施の形態を図面に基づき説明する。図９は本発明に係る一実施形態例のリモコン装置１と給湯装置２７との配置例を示しており、この実施形態例において、リモコン装置１は浴室に設置されている風呂用のリモコン装置である。このリモコン装置１は、給湯装置２７の制御装置３に信号接続されて該給湯装置２７の遠隔操作を行うリモコン装置であり、同じく制御装置３には、台所に配置される台所リモコン装置２が信号接続されている。
【００３２】
給湯装置２７は、給湯機能と、浴槽２６への自動湯張り機能と、追い焚き機能と、足し湯機能と、ぬる湯機能とを具備する。この実施形態においては、２芯の信号線を用いて風呂用のリモコン装置１と台所リモコン装置２は給湯装置２７の回路、つまり、給湯装置２７の燃焼制御回路に接続されている。
【００３３】
給湯装置２７は浴室の外（建物の外）に配置され、浴室内には浴槽２６が設置され、給湯装置２７と浴槽２６とは、追い焚き循環路２５の戻り管２３と往管２４によって配管接続されている。
【００３４】
リモコン装置１は浴槽２６の近くの浴室側壁に設置されるが、その設置位置は浴槽２６内からリモコン装置１の表示画面が見易い位置となっている。
【００３５】
図７は本実施形態例のリモコン装置１の外観構成を示すもので、リモコン装置１の筐体ケースの表面側には表示部としての表示画面３２が設けられている。また、表示画面３２の側部には、リモコンの電源をオン、オフする運転スイッチ３５と、給湯装置２７の追い焚き運転を指示する追い焚きスイッチ３３と、給湯装置２７の自動運転を指示する自動スイッチ３６と、ラジオ放送や文字放送の視聴用の放送スイッチ３７と、通話スイッチ３８と、スピーカ３４とが設けられている。
【００３６】
さらに、表示画面３２の下側には、給湯や湯張りの温度と浴槽水位を設定する設定スイッチ２８ａ、２８ｂと、給湯温度、湯張り温度、浴槽水位等の各設定モードを切り替える選択スイッチ２９と、足し湯スイッチ３０と、ぬる湯スイッチ３１とが設けられている。
【００３７】
スイッチ３５、３３、３６、３７、３８にはランプ３９が設けられており、その各スイッチごとに、スイッチの動作が指示されたとき（オン動作されたとき）にはランプ３９の点灯（又は点滅）表示が行われ、スイッチ動作の解除指示がされたとき（オフ動作されたとき）にはランプ３９は消灯されるように構成されている。また、リモコン装置１の筐体ケースの内部には図示されていないマイクが内蔵されている。
【００３８】
表示画面３２は、例えば、液晶表示器（ＬＣＤ）や、蛍光表示管（ＶＦＤ）、発光ダイオード（ＬＥＤ）、ドットマトリックス表示、ブラウン管等の適宜の画面によって形成されるものであり、いずれの画面を適用してもよい。本実施形態例において、表示画面３２は、文字放送の文字情報と給湯装置２７の給湯関連情報とを１つの画面で切り替え表示する構成と成しており、図７の例は、給湯関連情報が表示されている状態を示す。
【００３９】
給湯関連情報とは例えば、給湯設定温度、湯張り設定温度、湯張り設定水位、風呂温度、湯張り水位、給湯検出温度等の給湯機能の動作と、湯張り機能や保温機能の動作において必要な各種設定値と各種センサ検出値の情報である。
【００４０】
図７の例では、表示画面３２には、給湯温度表示領域に、４１℃の給湯設定温度が示され、優先表示領域に、「優先」の文字によって、リモコン装置１で設定した給湯の温度が台所リモコン装置２で設定される給湯温度よりも優先される旨の表示が成されている。また、燃焼表示領域に、炎４８のマークを用いて給湯装置２７が燃焼運転している旨の表示が示され、浴槽水位の表示領域には、浴槽を示す絵に設定水位の表示が示され、湯張り温度の表示領域には浴槽を示す絵の中に４１℃の湯張り設定温度の表示がそれぞれ示されている。
【００４１】
なお、表示画面３２には時刻表示領域が設けられており、その表示領域に現在の時刻（図７ではＡＭ１０：００）が示される構成と成している。
【００４２】
前記給湯設定温度の設定は、選択スイッチ２９によって給湯温度設定モードを選択し、設定スイッチ２８ｂを押すごとに温度を一定温度（例えば１℃）ずつ上昇させ、設定スイッチ２８ａを押すごとに温度を一定温度（例えば１℃）ずつ下降させる操作を行って行われる。同様に、湯張り温度を設定する場合も、選択スイッチ２９によって湯張り温度の設定モードを選択し、設定スイッチ２８ａ、２８ｂを用いて温度を上下調整することにより達成される。
【００４３】
湯張りの水位（浴槽水位）を設定する場合も、選択スイッチ２９によって浴槽水位設定モードを選択し、設定スイッチ２８ａを押すごとに水位（又は水量）を単位水位（単位水量）ずつ上昇させ、設定スイッチ２８ａを押すごとに水位（又は水量）を単位水位（単位水量）ずつ下降させる操作を行って行われる。
【００４４】
内蔵のマイクとスピーカ３４は、通常は、他のリモコン装置との間で会話を行うときに使用されるもので、例えば、入浴中に風呂用のリモコン装置１と台所に設置されている台所リモコン装置２との間で、入浴している者が台所にいる者に浴室にタオルを持ってきてもらう等の要請を行うときの会話に使用される。このような会話を行うときに通話スイッチ３８を押すことにより、通話先の台所リモコン装置２に呼び出し音が発せられ、居間や、台所にいる者に浴室からの会話の要求を知らせることができるものである。
【００４５】
運転スイッチ（給湯スイッチ）３５はスイッチオンとすることにより、リモコン装置１の電源がオンされて回路を動作可能な状態にし、スイッチオフとすることにより、回路動作を停止状態とするものである。給湯装置２７の給湯機能の動作はこの運転スイッチ３５がオンの状態で行われる。
【００４６】
自動スイッチ３６は湯張り動作から保温動作にかけての一連の動作の開始と停止を指令するものであり、スイッチオンによりその動作が開始し、スイッチオフの状態で動作停止状態となる。
【００４７】
放送スイッチ３７はラジオの音声放送（ＦＭラジオ放送）および文字放送（文字情報）の視聴と視聴停止を指令するものであり、スイッチオンにより、ラジオ放送開始となり、このとき、表示画面３２は、給湯関連情報の表示から放送番組用の表示に切り替わる。また、放送スイッチ３７をスイッチオフすると、放送停止となり、表示画面３２は放送用番組の表示から給湯関連情報の表示に切り替わる。
【００４８】
図８は台所リモコン装置２の外観構成を示す。この台所リモコン装置２は、前記した風呂用のリモコン装置１から、足し湯スイッチ３０、ぬる湯スイッチ３１、追い焚きスイッチ３３、放送スイッチ３７を取り除いた構成のものであり、それ以外はリモコン装置１と同様であり、リモコン装置１と共通の構成部分には同一符号を付して重複説明は省略する。
【００４９】
なお、台所リモコン装置２においても、台所リモコン装置２で設定した給湯温度が風呂用のリモコン装置１で設定した給湯温度（湯張り温度）よりも優先する場合は、この図に示されているように、台所リモコン装置２の表示画面３２に優先表示が行われる。
【００５０】
次に、リモコン装置を用いて行なう給湯装置２７の動作の一例を図９に示す給湯装置２７の模式構成に基づき簡単に説明する。なお、図９の給湯装置２７の自体の構成は公知であるので、給湯装置自体の構成説明は省略する。
【００５１】
給湯装置２７の給湯機能の動作は、リモコン装置１又は台所リモコン装置２の運転スイッチ３５をオンし、この状態で給湯管路１１の給湯先に設けられている給湯栓（図示せず）を開くことにより開始する。給湯栓の開により、制御装置３は流量センサ４により給水管路５を通水する最低作動流量以上の流量を検出すると、給湯バーナ１０を燃焼し、給湯熱交換器７を通る水を加熱して湯を作成し、その湯を給湯管路１１を通して給湯先へ供給する。
【００５２】
この給湯機能の動作では、制御装置３は入水温度センサ６による入水温と、流量センサ４による給湯量と、給湯温度センサ８による給湯温（出湯温）との検出情報に基づき、給湯湯温が台所リモコン装置２（又はリモコン装置１）で設定された給湯設定温度となるように、ガス通路９から供給されるガス量を図示されていない比例弁の開弁量によって制御する。給湯動作は給湯先の給湯栓が閉止されることによって終了する。つまり、給湯栓の閉止によって流量センサ４が通水の停止を検出したときに、制御装置３は給湯バーナ１０へのガス供給を遮断し、給湯バーナ１０の燃焼を停止する。
【００５３】
給湯装置２７の自動運転は、湯張り機能の動作、追い焚き機能の動作、保温機能の動作を連続的に行うもので（湯張り完了時の浴槽水温度が湯張り設定温度（風呂設定温度）以上のときは追い焚き機能の動作は行われない）、前記運転スイッチ３５がオンされている状態で、リモコン装置１（又は、台所リモコン装置２）の自動スイッチ３６をオンすることにより開始する。
【００５４】
そうすると、注湯電磁弁１３が開かれ、前記給湯機能の動作と同様に給湯熱交換器７を通る水は給湯バーナ１０の燃焼加熱により湯となり、その湯は、給湯管路１１から注湯路１４に入り、戻り管２３と往管２４を有して構成される追い焚き循環路２５を通して浴槽２６へ落とし込まれる。浴槽２６の水位は水位センサ２０としての圧力センサによって検出され、この検出水位が浴槽の設定水位に達したときに注湯電磁弁１３が閉じられ、湯張り動作が終了する。この湯張りの動作においては、制御装置３は、湯張りの湯温が湯張り設定温度となるように給湯バーナ１０の燃焼量を制御する。
【００５５】
湯張りが完了したときに注湯電磁弁１３が閉じられる。そして、循環ポンプが起動されて浴槽水の温度（湯温）が風呂温度センサ１８によって検出され、検出温度が湯張り設定温度（風呂設定温度）よりも低いときには追い焚き機能の動作が行われる。
【００５６】
追い焚き機能の動作とは、循環ポンプ２１が駆動されて浴槽２６の湯水が追い焚き循環路２５を通して循環されるもので、この循環水が流水スイッチ２２で検知されたときに風呂バーナ１６が燃焼駆動され、追い焚き熱交換器１５を通るときに循環湯水を加熱昇温して浴槽湯水の追い焚きを行う動作である。この追い焚き動作は、風呂温度センサ１８が風呂温度を検出し、その検出温度が風呂設定温度に達したときに風呂バーナ１６の燃焼停止と循環ポンプ２１の停止とが行なわれて終了する。
【００５７】
そして、自動運転の動作においては、引き続き保温機能の動作が行なわれる。この保温機能の動作は、所定の時間間隔で、循環ポンプ２１を短時間起動し、浴槽２６の湯を追い焚き循環路２５を通して循環し、風呂温度センサ１８により浴槽２６の湯温（風呂温度）を検出する。風呂（浴槽湯水）の検出温度が風呂の設定温度よりも許容範囲を外れて低下したときには、循環ポンプ２１を駆動して浴槽２６の湯水を追い焚き循環路２５を通して循環しながら、風呂バーナ１６の燃焼により追い焚き熱交換器１５で加熱し、追い焚きを行う。
【００５８】
そして、風呂温度センサ１８の検出温度が風呂の設定温度に達したときに循環ポンプ２１を停止し、風呂バーナ１６の燃焼を停止する。このように保温機能の動作（保温動作）は湯張りが終了してから所定の時間（例えば４時間）にわたって行なわれる。保温機能と供に保水機能の動作を行う給湯装置２７においては、水位センサ２０によって浴槽の水位が監視され、浴槽の水位が設定水位から許容範囲を越えて低下したときには注湯電磁弁１３が開けられて給湯熱交換器７側から設定水位に達する不足分の湯量が補充され、浴槽水位を設定水位に維持する保水動作が行なわれる。
【００５９】
また、リモコン装置１の追い焚きスイッチ３３が押されたときには、前記追い焚き機能の動作が単独の動作として行われる。また、リモコン装置１の足し湯スイッチ３０が押されると、足し湯機能の動作が行われ、湯張り設定温度の湯が一定量（例えば２０リットル）給湯熱交換器７側から浴槽２６へ落としこまれる。さらに、リモコン装置１のぬる湯スイッチ３１が押されると、ぬる湯機能の動作が行われ、給水の水が加熱されずに一定量（例えば１０リットル）給湯熱交換器７側から浴槽２６へ落としこまれる。
【００６０】
なお、図９において、１２は流量センサ、２２は流水スイッチ、１９は循環ポンプ２１の吐出口と追い焚き熱交換器１５の入水口を連通接続する管路、１７は風呂バーナ１６へのガス通路をそれぞれ示している。
【００６１】
本実施形態例のリモコン装置１は、上記給湯装置２７の遠隔操作の機能に加え、音声放送と文字放送の少なくとも一方を有する放送の電波を受信電波周波数の調整によって受信可能な機能を備えており、図１には、本発明に係るリモコン装置（リモコン装置１）の一実施形態例における放送の受信と提供のための構成が示されている。
【００６２】
この構成は、リモコン装置１の内部（リモコン装置１の筐体ケースの内部）に設けられた、放送受信部（放送受信モジュール）４０と、文字情報書き込み・読み出し部４１と、メモリ４２と、チャンネル自動設定モードの動作部４４と、表示制御部４３と、時計機構４６と、表示消去部４５とを有しており、リモコン装置１に装備された、表示画面３２、スピーカ３４、番組選択指定手段５６、モード選択操作部４７、自動設定強制終了操作部５７に接続されている。
【００６３】
放送受信部４０は、ＦＭラジオ放送とＦＭ文字放送を受信するために必要な、アンテナ、復調回路、復調回路で復調された信号から文字情報を分離する回路等を有しており、これらの回路構成は、特許文献１、３等に示されているように、公知であるので、その回路構成の説明は省略する。また、放送受信部４０はＦＭラジオ放送をも受信し、リモコン装置１の回路基板には、放送受信部４０が受信したＦＭラジオ放送をスピーカ３４から流すラジオの回路を備えているが、このようなラジオの回路は周知であるのでその回路構成の図示は省略する。
【００６４】
放送受信部４０によってＦＭラジオ放送やＦＭ文字放送を受信するためには、放送受信部４０で受信する受信電波周波数を放送の送信電波周波数に調整することが必要である。受信できる電波は、リモコン装置１が配置される地域により異なっており、通常、給湯装置２７の設置時等に、受信電波周波数を各放送局から送信される電波周波数に合わせる（一致させる）調整が行われる。
【００６５】
この周波数調整を行うために、本実施形態例では、利用者が、モード選択操作部４７を操作したときに、モード選択信号がチャンネル自動設定モードの動作部４４に加えられ、以下に述べるチャンネル自動設定の動作が行われる。なお、本実施形態例において、前記選択スイッチ２９がモード選択操作部４７を兼ねており、利用者が、選択スイッチ２９を２秒以上押し続けてラジオ設定モードとした後、選択スイッチ２９を続けて押すと、以下のチャンネル自動設定モードの動作部４４にモード選択信号が加えられる。
【００６６】
チャンネル自動設定モードの動作部４４は、放送受信部４０で受信する受信電波周波数を可変調整して、該調整により受信可能となった放送の電波周波数と放送局とを対応させて記憶する自動記憶動作を１回以上行い、該自動記憶動作を１回行うごとに記憶した放送局を１つのチャンネルとして設定するチャンネル自動設定の動作を行う。
【００６７】
なお、チャンネル自動設定モードの動作部４４によるチャンネル設定動作の仕方は特に限定されるものではないが、例えば電波周波数の低い順から順に、受信可能となった放送の電波周波数と放送局とを対応させ、また、この電波周波数と放送局とを、チャンネル番号（例えば１，２，・・・）と対応させて設定する。例えば文字多重放送を行っているＪＦＮ系列局を先頭に記憶し、その後、文字多重放送を行っているＪＦＮ系列以外の放送局を記憶する（ＪＦＮ系列の周波数の若い順、ＪＦＮ系列以外の周波数の若い順に記憶する）。
【００６８】
また、チャンネル自動設定モードの動作部４４は、上記のように設定したチャンネルの情報（電波周波数と放送局とチャンネル番号との関係情報）は、メモリ４２に格納する。なお、メモリ４２は情報の書き込みと読み出しが可能な不揮発性メモリによって構成されている。
【００６９】
本実施形態例において、チャンネル自動設定モードの動作部４４には、チャンネル設定数の上限値が予め与えられており、チャンネル自動設定モードの動作部４４は前記チャンネル設定数の上限値のチャンネル設定が終了したときに動作を自動的に終了する。
【００７０】
また、本実施形態例では、時計機構４６が、チャンネル自動設定モードの動作部４４の動作開始時を起点として経過時間を計測し、この時計機構４６で計測される経過時間が予め設定した設定時間に達したときには、たとえ、上記自動記憶動作により設定するチャンネル設定数が、その上限値に達していない場合でも（極端な場合、１つのチャンネル設定も行われていなくても）チャンネル自動設定モードの動作部４４の動作を終了させる。
【００７１】
さらに、本実施形態例において、チャンネル自動設定モードの動作部４４の動作中に、選択スイッチ２９や放送スイッチ３７を押すと、自動設定強制終了操作部５７が入り、チャンネル自動設定モードの動作部４４の動作を強制的に終了させる。つまり、利用者が、この自動設定強制終了操作部５７を操作したとき（選択スイッチ２９を押したときや、放送スイッチ３７を押したとき）には、チャンネル自動設定モードの動作部４４がチャンネルの設定動作中であっても、その動作は強制的に終了される。なお、このチャンネルの設定動作の強制終了前に記憶したチャンネルは記憶設定される。
【００７２】
チャンネル自動設定モードの動作部４４は、上記チャンネル自動設定の動作開始から動作終了までの間、このチャンネル自動設定の動作中であることを示す信号を、表示制御部４３に加える。
【００７３】
表示制御部４３は、チャンネル自動設定モード４４の動作中に該動作中であることを知らせる点滅表示を、リモコン装置の表示部である表示画面３２の少なくとも一部位に行う。また、表示制御部４３は、チャンネル自動設定モードの動作部４４により設定したチャンネル数が分かる表示を表示部の少なくとも一部位に点灯により行う。
【００７４】
図２には、チャンネル自動設定モード４４の動作中の表示画面３２の表示例が示されている。表示制御部４３は、チャンネル自動設定モードの動作部４４の動作開始時に、図２（ａ）に示すように、チャンネル自動設定の文字と、チャンネル設定数の上限値に対応する数の絵柄（ここでは升目６０）を表示画面３２に点灯表示する。
【００７５】
なお、本実施形態例では、上記チャンネル設定数を１５とし、上記絵柄を升目６０としているが、チャンネル設定数は適宜設定されるものであり、絵柄も升目６０以外の、円形状や、三角形状、音符の絵柄、等、様々なものを適用することができる。
【００７６】
次に、図２（ｂ）に示すように、表示制御部４３は、上記チャンネル自動設定モードの動作部４４が１回目の前記自動記憶動作を行っている間は、１つ目の絵柄である升目６０ａを点滅表示させる。そして、前記１回目の自動記憶動作により１つ目のチャンネルが設定されたら、図２（ｃ）に示すように、１つ目の絵柄（升目６０ａ）内に印を付けて点灯表示する。
【００７７】
本実施形態例では、絵柄の印付けは絵柄内を着色することとしており、１つ目のチャンネルが設定されると、１つ目の升目６０ａ内が着色される。なお、印付けは、着色以外にも様々な方法が適用されるものであり、絵柄に線を入れる、絵柄を変形させる等、様々な方法を適用できる。
【００７８】
上記印付け直後または印付けと同時に、図２（ｄ）に示すように、前記チャンネル自動設定モードの動作部４４が２回目の自動記憶動作を行う間は２つ目の絵柄（ここでは、着色した１つ目の升目６０ａの隣に配置された升目６０ｂ）を点滅表示させ、前記２回目の自動記憶動作により２つ目のチャンネルが設定されたら、図２（ｅ）に示すように、２つ目の絵柄（升目６０ｂ）内に印を付けて（着色）点灯表示するという如く、前記チャンネル自動設定モードの動作部が設定したチャンネル数を印付けした絵柄（着色した升目６０）の数により逐次表示する。
【００７９】
表示消去部４５は、前記チャンネル自動設定モードの動作部４４の動作が終了したときに、チャンネル自動設定モードの動作部４４の動作中であることを知らせる表示を消去するものである。なお、この表示消去のタイミングは、前記チャンネル自動設定モードの動作部４４の動作が終了してから予め定めた時間（例えば３秒といった動作終了確認に要する時間）が経過したときとしてもよい。
【００８０】
表示制御部４３は、表示消去部４５によりチャンネル自動設定モードの動作部４４の動作中であることを知らせる表示の消去が行われたときには、前記チャンネル自動設定モードの動作部４４の動作開始の直前の表示内容を表示画面３２に表示する。
【００８１】
なお、上記チャンネル自動設定モードの動作部４４の動作中に、利用者によって、選択スイッチ２９や放送スイッチ３７が押されたときや、時計機構４６で計測される経過時間が予め設定した設定時間に達したときには、チャンネル自動設定モードの動作部４４の動作は、たとえ、途中であっても終了されるので、このときは、チャンネル自動設定モードの動作部４４の動作開始の直前の表示内容が表示画面３２に表示される。
【００８２】
本実施形態例は、上記のように、チャンネル自動設定モードの動作部４４の動作によって自動的にチャンネル設定が行われると、設定されたチャンネルの番組を選局することによって、視聴することができる。
【００８３】
番組選択指定手段５６は、ラジオ放送および文字放送の選局と文字放送を選局した場合は、その放送局の番組を選択指定してその指定信号を表示制御部４３に加える。本実施形態例では、給湯装置２７の遠隔操作用のスイッチ２８ａ、２８ｂ、２９、３０、３１を放送用の各種調整用スイッチとして兼用させており、選択スイッチ２９はラジオ放送の選局モードと文字放送モードの選択スイッチとして機能させ、足し湯スイッチ３０とぬる湯スイッチ３１は選局と番組の選択指定スイッチとして機能させており、これらのスイッチ２８ａ、２８ｂ、２９、３０、３１は選択指定手段５６の構成要素と成している。
【００８４】
なお、設定スイッチ２８ａ、２８ｂはラジオ放送の音量調整スイッチとして機能させ、設定スイッチ２８ａを押すごとに音量が定音量ずつ低くなり、設定スイッチ２８ｂを押すごとに、音量が定音量ずつ高くなる構成と成している。
【００８５】
番組選択指定手段５６がラジオ放送を指定しているときに、ラジオ放送番組の音声放送を前記放送受信部４０が受信したときには、その情報が、図示されていない音声増幅手段等の回路を介し、スピーカ３４に加えられ、スピーカ３４から出力される。そして、このとき、受信される放送が、前記チャンネル自動設定モードの動作部４４により設定したチャンネルの場合は、例えば図５に示すように、ラジオ局（放送局）とチャンネル番号が、メモリ４２から読み出されて表示画面３２に表示される。
【００８６】
また、放送受信部４０が文字放送を受信したときには、その文字情報が文字情報書き込み・読み出し部４１に加えられる。
【００８７】
文字情報書き込み・読み出し部４１は、放送受信部４０が受信した文字情報を前記メモリ４２の所定の位置に書き込むとともに、読み出し指令を受けてその指令された文字情報をメモリ４２から読み出す機能を備えている。
【００８８】
文字放送モードとして、例えば、番組連動モード、自動番組モード、番組繰り返しモード、緊急情報番組モードが設定される。番組連動モードは、ラジオの番組と連動した文字情報を表示画面３２に表示させる動作モードであり、例えば、ラジオの歌番組の歌に合せて歌詞、曲名、歌手名等を表示画面３２に表示させるものである。
【００８９】
自動番組モードは、選定した文字放送局がサービスしている全ての番組を順番に表示する動作モードである。番組の例として、ニュース番組、スポーツ番組、ビジネストレンド番組、天気番組、交通情報番組、占い番組、うわさのパラダイス番組、ランキング情報番組等がある。
【００９０】
番組繰り返しモードは選択された番組の文字情報を繰り返し表示画面３２に表示する動作モードである。例えば、ニュース番組が選択されたときには、そのニュース番組の文字情報を繰り返し表示するものである。
【００９１】
緊急情報番組モードは、緊急事態が生じた際に、文字情報に多重して送信される、地震、台風、津波、飛行機事故、列車転覆事故等の突発的に生じる緊急文字情報を表示画面３２に表示させる動作モードである。
【００９２】
本実施形態例では、図６に示すように、これらの各文字放送モードに一対一に対応したマークが設定されて適宜の位置、例えば、メモリ４２に与えられ、表示制御部４３は選定された文字放送モードのマークを文字情報と共に予め定められた表示領域に表示する構成と成している。
【００９３】
表示制御部４３は、文字情報表示モードとなっているときに（選択スイッチ２９によって文字情報表示モードが選択指定されているときに）、表示画面３２に番組選択指定手段５６によって選択指定された放送局の番組の文字情報を表示する。図４（ａ）はその文字情報の表示例を示すもので、文字を大きく表示するために、文章の文字が画面の一方側から他方側へ（図示の例では右側から左側へ）流れていくスクロール方式で表示する表示制御形態を採用している。
【００９４】
本実施形態例のリモコン装置（風呂リモコン装置）は上記のように構成されており、次に、放送視聴の動作を簡単に説明する。運転スイッチ３５がオンされている状態では、リモコン装置１の電源がオンされ、この電源を用いて放送受信部４０は放送を受信する。放送受信部４０が文字放送を受信すると、その文字情報が文字情報書き込み・読み出し部４１によって、メモリ４２に格納される。
【００９５】
なお、図７に示したように、リモコン装置１の表示画面３２が給湯関連情報を表示している動作モード状態で、放送スイッチ３７が押されると、表示画面３２が放送関連の文字情報表示に切り替わる。例えば、表示画面３２に、選局されている周波数が表示され、その周波数のラジオ放送がスピーカ３４から流れる。音量は設定スイッチ２８ａ、２８ｂを操作することによって調整される。
【００９６】
選局モードを変更する場合は、選択スイッチ２９を押して動作モードを変更する。一例として、選択スイッチ２９を押す毎に、オート選局モード、マニュアル選局モード、文字放送の番組連動モード、文字放送の自動番組モード、文字放送の番組繰り返しモード、文字放送の緊急情報番組モードという如く動作モードが順次切り替えられ、最後に元の動作モードに戻る。
【００９７】
選択スイッチ２９を操作してオート選局モードを選択し、ぬる湯スイッチ３１を押すごとに予めメモリ４２に記憶されている放送局名が順次表示画面３２に表示される。オート選局モードによって選局される局（チャンネル）は、上記チャンネル自動設定モードの動作部４４により設定されたチャンネルの中の１つであり、ぬる湯スイッチ３１を押して行くと、１つ後の放送局名が順次表示画面３２に表示され、足し湯スイッチ３０を押して行くと、逆に、１つ前の放送局名が順次、表示画面３２に表示されるので、ぬる湯スイッチ３１と足し湯スイッチ３０を操作することにより、放送局を変更設定できる。
【００９８】
図５はオート選局モードによって、選局された表示画面３２の表示状態を示しており、表示画面３２には選局された局名（ＴＯＫＹＯ  ＦＭ）と、そのチャンネル番号（ＣＨ１）と、オート選局モードの表示（ＣＨ）が表示されている。
【００９９】
マニュアル選局モードによって放送局を選局する場合は、選択スイッチ２９を操作してマニュアル選局モードを選択する。そうすると表示画面３２に、現在選局されている局の周波数とマニュアル選局モードの表示（Ｈｚ）が表示される。この状態で、ぬる湯スイッチ３１を押すと周波数が高くなる方向に変化し、足し湯スイッチ３０を押すと周波数が低くなる方向に変化して行くので、足し湯スイッチ３０とぬる湯スイッチ３１を操作することにより、放送局の選局変更を行うことができる。
【０１００】
文字放送を見るときには、選択スイッチ２９を操作して文字放送の見たい番組モードを選択する（文字放送の選局は前述したラジオの選局と同じである）。その番組モードを選択した状態で、ぬる湯スイッチ３１を順次押して行くと、番組名がニュース、スポーツ、ビジネストレンド、天気、交通情報、・・・、という如く、表示画面３２に表示されながら順次切り替わり、足し湯スイッチ３０をおして行くと、同様に番組名が表示画面３２に表示されながら順次逆方向に切り替わるので、足し湯スイッチ３０とぬる湯スイッチ３１を操作して好みの番組を選択設定する。
【０１０１】
図４（ａ）はこのようにして選択された番組が表示画面３２に表示されている状態を示す。図４（ａ）の例では、表示画面３２にニュース番組の文字情報が表示されており、同じ画面上に番組連動モードを示す「ＬＩＮＫ」のマークが表示されている。
【０１０２】
なお、本実施形態例では、緊急文字情報が突発的に送信されてきたときに、例えば図４（ｂ）に示すように、その緊急文字情報を表示する機能を有しているが、この表示を行うための構成や動作についての説明は省略する。
【０１０３】
また、放送スイッチ３７が押されて放送が消されたときには、表示画面３２は、例えば図７に示したような給湯関連情報の表示モードとなる。スイッチの操作無しから所定時間経過したときには省電力モードとなって、表示画面３２の表示の電源がオフとなり、表示画面３２には時計の時刻表示以外は表示されない状態や全消灯状態となる。
【０１０４】
本実施形態例によれば、前記の如く、図１、図２に基づいて説明した、前記チャンネル自動設定モードの動作部４４によって、受信可能な放送局を放送局ごとに１つのチャンネルとして自動的に設定でき、その間、表示画面３２の一部位に表示された升目６０の点滅表示によって、チャンネル自動設定モードの動作中であることを利用者に知らせることができる。
【０１０５】
したがって、本実施形態例のリモコン装置１は、従来のように、チャンネル自動設定中の表示を点灯により行う場合と異なり、リモコン装置のマイコンの動きが止まってしてしまった、というような利用者の誤解を招くことはなく、リモコン装置１がチャンネル自動設定モードの動作を確実に行っている旨を、利用者に的確に知らせることができるので、使い勝手のよいリモコン装置を実現できる。
【０１０６】
また、本実施形態例においては、チャンネル自動設定モードの動作部４４には、チャンネル設定数の上限値が予め与えられており、前記チャンネル自動設定モードの動作部は前記チャンネル設定数の上限値のチャンネル設定が終了したときに動作を自動的に終了するので、受信可能な放送局を放送局ごとに１つのチャンネルとしてチャンネル設定数の上限値に達するまで行い、的確に上記設定動作を終了することができる。
【０１０７】
さらに、本実施形態例によれば、チャンネル自動設定モードの動作部４４の動作中に、チャンネル設定数の上限値を升目６０により表示し、さらに、チャンネル自動設定モードの動作部４４により設定したチャンネル数が分かる表示を着色した升目６０の点灯により行うので、チャンネル自動設定モードの動作部４４の動作中に設定されていくチャンネル数を、逐次、非常に分かりやすく明確に、利用者に知らせることができるし、チャンネル自動設定モードの動作部４４の動作の終了の目安も知らせることができる。
【０１０８】
さらに、本実施形態例によれば、チャンネル自動設定モードの動作部４４の動作が終了したときに、チャンネル自動設定モードの動作部４４の動作中であることを知らせる表示を消去し、チャンネル自動設定モードの動作部４４の動作開始の直前の表示内容を表示部に表示するので、利用者が次のリモコン動作設定等を行いやすく、より使い勝手を良好にできる。
【０１０９】
さらに、本実施形態例によれば、時計機構４６で計測される経過時間が予め設定した設定時間に達したときには、チャンネル自動設定モードの動作部４４の動作を終了させるので、例えばチャンネル自動設定モード４４の動作部の動作が迅速に行えなかったときでも、設定時間を越えて長い間チャンネル設定モードの動作を行うことを抑制でき、時間の無駄を省くことができる。
【０１１０】
さらに、本実施形態例においては、表示画面３２を給湯関連情報の表示用と放送の表示用とに兼用させているので、給湯関連情報の表示用と放送の表示用とを別個の画面とする場合に比べ、画面面積を大きくでき、その分、文字情報を見易い大きい字で表示できるので、利用性に優れたものとなる。
【０１１１】
さらに、給湯関連のリモコン操作に使用する各種のスイッチ２８ａ、２８ｂ、２９、３０、３１を文字放送の操作スイッチとして兼用させているので、風呂リモコン装置に装備するスイッチの数を少なくすることができ、その分、リモコン装置の装置構成の複雑化を避け、外観も煩雑でないすっきりした形態となる上に、部品点数の低減に伴うコスト削減を図ることが可能である。
【０１１２】
なお、本発明は上記実施形態例に限定されることなく、様々な実施の形態を採り得る。例えば、上記実施形態例では、表示制御部４３は、チャンネル自動設定モードの動作部４４の動作時に、表示画面３２に図２に示すような表示を行うようにしたが、表示制御部４３は、チャンネル自動設定モードの動作中であることを知らせる点滅表示をリモコン装置１の表示部の少なくとも一部位に行えばよい。
【０１１３】
例えば、表示制御部４３は、チャンネル自動設定モードの動作部４４の動作中であることを知らせる、例えば「チャンネル自動設定動作中」といった、文字の点滅表示を行ってもよく、このような文字表示を行う構成によれば、文字の点滅表示によって、チャンネル自動設定モードの動作部の動作中であることを明確に知らせることができ、使い勝手のよいリモコン装置を実現できる。
【０１１４】
また、チャンネル自動設定モードの動作部４４の動作中に、設定したチャンネル数を数字により示し、この数字を点灯させると共に、この数字の周辺領域の少なくとも一部に点滅する絵柄の表示を行ってもよいし、数字自体を点滅させてもよい。このような表示を行うと、設定したチャンネル数を利用者に知らせると共に、次のチャンネル自動設定中であることも利用者に知らせることができる。
【０１１５】
さらに、チャンネル自動設定モードの動作部４４がチャンネル自動設定に必要な時間を推測するチャンネル自動設定時間推測部を設け、このチャンネル自動設定時間推測部によって推測される時間（チャンネル自動設定に必要な時間）に基づく表示を表示画面３２に行うようにしてもよい。
【０１１６】
図３には、この表示例の一つが示されており、チャンネル自動設定モードの動作部４４の動作中に、上記チャンネル自動設定に必要な時間を枠６７により表示し、チャンネル設定が終了した割合をこの枠６７内に区別表示するようにしている（図３では斜線で示した領域が、チャンネル設定が終了した割合を示している）。また、このような図による表示の他に、例えば「７８％」といった数値表示を行うことにより、チャンネル設定が終了した割合をパーセンテージで示してもよいし、「あと、２８秒」といったように、チャンネル設定終了までに要する時間を表示するようにしてもよい。
【０１１７】
さらに、上記実施形態例では、時計機構４６で計測される経過時間が予め設定した設定時間に達したときには、チャンネル自動設定モードの動作部４４の動作を終了させるようにしたが、この構成を省略してもよい。つまり、自動設定強制終了操作部５７を有していれば、チャンネル自動設定モードの動作部４４の動作に時間がかかりすぎるときには、自動設定強制終了操作部５７によって、チャンネル自動設定モードの動作部４４の動作を強制終了できるので支障はない。
【０１１８】
さらに、上記実施形態例では、チャンネル自動設定モードの動作部４４の動作終了後に、表示制御部４３は、チャンネル自動設定モードの動作部４４の動作直前の表示内容を表示するようにしたが、チャンネル自動設定モードの動作部４４の動作終了後は、常に、予め設定した表示内容を表示するようにしてもよい。
【０１１９】
さらに、上記実施形態例では、チャンネル自動設定モードの動作部４４は、放送の電波周波数と放送局とを対応させて記憶する自動記憶動作を行うようにしたが、チャンネル自動設定モードの動作部４４は、放送の電波周波数を順次記憶する自動記憶動作を１回以上行い、該自動記憶動作を１回行うごとに記憶した放送の電波周波数を１つのチャンネルとして設定するようにしてもよい。
【０１２０】
さらに、本発明のリモコン装置は、音声放送と文字放送の少なくとも一方を有する放送の受信機能と、給湯装置２７の遠隔操作機能と、チャンネル自動設定モードの動作部４４による動作機能とを有し、このチャンネル自動設定モードの動作部４４の動作中に、動作中であることを知らせる点滅表示をリモコン装置の表示画面３２の少なくとも一部位（つまり、表示画面３２全体の表示も含む）に行えばよく、その表示方法や、その他のリモコン装置の形態、機能等は、特に限定されるものでなく、適宜設定されるものである。
【０１２１】
例えば、上記実施形態例では、風呂リモコン装置１にラジオ放送および文字放送の回路を設けたが、台所リモコン装置２に風呂リモコン装置１に設けた放送受信の回路やスイッチを設けてラジオ放送や文字放送を受信視聴する構成としてもよい。勿論、台所や浴室以外の場所にリモコン装置を設ける場合も同様にラジオ放送や文字放送を受信視聴する構成としてもよい。
【０１２２】
さらに、上記実施形態例では、給湯関連情報の操作スイッチを放送用のスイッチとして兼用させたが、給湯関連情報の操作スイッチと放送用のスイッチの一部又は全部を別個に設けてもよい。また、表示画面も給湯関連の表示用と放送の表示用を別個に設けてもよい。
【０１２３】
さらに、上記実施形態例ではリモコン装置が接続される給湯装置はガスを燃料とした装置としたが石油を燃料とした給湯装置でもよく、又は、電気温水器等でもよい。また、給湯装置は給湯機能、湯張り機能、保温機能、保水機能、追い焚き機能を具備しているが、これらの全ての機能を具備していなくてもよく、他の機能を具備していてもよく、少なくとも給湯機能を具備していればよい。
【０１２４】
さらに、上記の実施形態例では、放送受信部４０はリモコン装置に形成したが、この回路４０は給湯装置２７側、より具体的には給湯装置２７の制御装置３側に形成してもよく、また、必要に応じ、表示画面３２と各種スイッチを除いた回路の一部又は全部を同様に制御装置３側に形成してもよい。
【０１２５】
さらに、表示画面３２の文字情報の表示はスクロール方式としたが、例えば、文章の全文を一括表示する方式としたり、文章を区切って、順次、区切った文章を表示する方式とする等、スクロール以外の構成でもよい。
【０１２６】
さらに、放送受信部４０は、一度受信したニュース等を蓄えるＲＡＭや文字フォントを記憶するＲＯＭと一体のものとしてもよい。
【０１２７】
さらに、上記の実施形態例では文字情報を表示画面３２に表示するようにしたが、文字情報以外に画像情報、ｗｅｂ情報などを表示してもよい。
【０１２８】
さらに、上記の実施形態例では、文字放送はＦＭ多重文字放送としたが、本発明はＡＭ多重文字放送や、ＴＶ多重文字放送にも適用でき、これらの各多重文字放送の文字情報を表示画面３２に表示する構成としてもよい。
【図面の簡単な説明】
【０１２９】
【図１】本発明に係るリモコン装置の一実施形態例における放送の受信と提供のための構成を示すブロック構成図である。
【図２】上記実施形態例のリモコン装置におけるチャンネル自動設定モードの動作時の表示画面の動作説明図である。
【図３】リモコン装置におけるチャンネル自動設定モードの動作時の表示画面の別の表示例の説明図である。
【図４】上記実施形態例のリモコン装置における表示画面の文字情報表示形態例を示す説明図である。
【図５】上記実施形態例のリモコン装置におけるラジオ放送のオート選局モードでの選局動作時における表示画面の表示形態例の説明図である。
【図６】各文字放送モードと各マークとの対応関係を示す説明図である。
【図７】風呂リモコン装置の表示画面に給湯関連情報が表示されている状態を示す図である。
【図８】台所リモコン装置の表示画面に給湯関連情報が表示されている状態を示す図である。
【図９】モデル例の給湯装置２７とリモコン装置１、２との接続使用状況を示す図である。
【符号の説明】
【０１３０】
１      リモコン装置（風呂用のリモコン装置）
２７    給湯装置
２９    選択スイッチ
３２    表示画面
３７    放送スイッチ
４０    放送受信部
４１    文字情報書き込み・読み出し部
４２    メモリ
４３    表示制御部
４４    チャンネル自動設定モードの動作部
４５    表示消去部
４６    時計機構
４７    モード選択操作部
５６    番組選択指定手段
５７    自動設定強制終了操作部
【図１】
2006183965.tif 000003
【図２】
2006183965.tif 000004
【図３】
2006183965.tif 000005
【図４】
2006183965.tif 000006
【図５】
2006183965.tif 000007
【図６】
2006183965.tif 000008
【図７】
2006183965.tif 000009
【図８】
2006183965.tif 000010
【図９】
2006183965.tif 000011